(57)【特許請求の範囲】
【請求項１】
所定数の解析パラメータを導出するための信号を構成するトランスポートストリーム（ＴＳ）パケットの巡回解析を含むデジタルテレビジョン信号（ＳＭＥ、ＬＩ、ＳＭＲ）の伝送リンクにおいて使用するためのサービス品質監視方法であって、
第１の解析パラメータ（ＴＳＳＬ、ＰＡＴＥ、ＰＭＴＥ）および第２の解析パラメータ（ＣＣＥ、ＴＰＥ；ＣＲＣＥ、ＰＣＲＥ、ＮＩＴＥ、ＣＤＴＥ）を事前選択するステップと、
前記事前選択した第１の解析パラメータの変動（ΔＴＳＳＬ、ΔＰＡＴＥ、ΔＰＭＴＥ）の最大値、および前記事前選択した第２の解析パラメータの変動（ΔＣＣＥ、ΔＴＥ；ΔＣＲＣＥ、ΔＰＣＲＥ、ΔＮＩＴＥ、ΔＳＤＴＥ）の最大値を周期的に判定して、前記リンクにおける機器ユニット（ＥＭ、ＲＥＣ、ＬＩ）に関する同期を表す第１のパラメータ（ＳＳ）、およびサービスの劣化を表す第２のパラメータ（ＤＳ；ＦＤ）をそれぞれ導出するステップ（Ｅ１ないしＥ６）を特徴とする方法。
【請求項２】
機器ユニットの前記同期を表す前記第１のパラメータ（ＳＳ）が、トランスポートストリーム同期損失パラメータ（ＴＳＳＬ）、プログラム関連テーブル誤りパラメータ（ＰＡＴＥ）、およびプログラムマップテーブル誤りパラメータ（ＰＭＴＥ）である３つの解析パラメータに依存する請求項１に記載の方法。
【請求項３】
サービスの劣化を表す前記第２のパラメータ（ＤＳ）が、連続性カウント誤りパラメータ（ＣＣＥ）およびトランスポート誤りパラメータ（ＴＥ）である２つの解析パラメータに依存する請求項１または２に記載の方法。
【請求項４】
サービスの劣化を表す前記第２のパラメータ（ＦＤ）が、巡回冗長性検査誤りパラメータ（ＣＲＣＥ）、プログラムクロック基準誤りパラメータ（ＰＣＲＥ）、ネットワーク情報テーブル誤りパラメータ（ＮＩＴＥ）、およびサービス記述テーブル誤りパラメータ（ＳＤＴＥ）である４つの解析パラメータに依存する請求項１または２に記載の方法。
【請求項５】
サービスの劣化を表す２つの第２のパラメータの一方が、連続性カウント誤りパラメータ（ＣＣＥ）およびトランスポート誤りパラメータ（ＴＥ）である２つの解析パラメータに依存して決定され、他方が、巡回冗長符号誤りパラメータ（ＣＲＣＥ）、プログラムクロック基準誤りパラメータ（ＰＣＲＥ）、ネットワーク情報テーブル誤りパラメータ（ＮＩＴＥ）、およびサービス記述テーブル誤りパラメータ（ＳＤＴＥ）である４つの解析パラメータに依存して決定される請求項１または２に記載の方法。
【請求項６】
パケット解析サイクル（ｄｔ）が、およそ１秒の継続時間を有し、機器ユニットの前記同期およびサービスの劣化をそれぞれ表す第１のパラメータ（ＳＳ）および第２のパラメータ（ＤＳ、ＦＤ）が導出される期間（Δｔ）が、およそ１０秒である請求項１ないし５のいずれか一項に記載の方法。
【発明の詳細な説明】
【０００１】
（関連出願の参照）
本出願は、１９９９年１２月１３日出願のフランス国出願９９−１５９２６に基づく２０００年１１月８日出願のＰＣＴ国際出願ＰＣＴ／ＦＲ００／０３１０８の継続出願である。
【０００２】
（発明の背景）
本発明は、デジタルテレビジョンリンクにおける、より詳細には、ＭＰＥＧ−２（Ｍｏｖｉｎｇ  Ｐｉｃｔｕｒｅ  Ｅｘｐｅｒｔ  Ｇｒｏｕｐ）およびＤＶＢ（Ｄｉｇｉｔａｌ  Ｖｉｄｅｏ  Ｂｒｏａｄｃａｓｔｉｎｇ）標準に準拠するデジタルテレビジョン信号におけるサービス品質の監視に関する。
【０００３】
（従来技術の説明）
現在、デジタル電話網の中でセットアップされているリンクにおけるサービス品質監視は、３組の測定値に基づいている。
監視が適用されるリンクが、地上通信リンク、またはサテライトと地上放送局の間のリンク、あるいはケーブルリンクまたはＡＴＭリンク等であるとき、デジタルテレビジョン信号の変調後の無線周波数信号に関する測定値、デジタル信号におけるビット誤り率（ＢＥＲ）に関する測定値、および無線周波数信号のレベルに関する測定値を測定することができる。
ＭＰＥＧ−２標準およびＤＶＢ標準に準拠する構文解析器を使用して、１９９７年５月のＥＴＲ２９０標準、「Ｍｅａｓｕｒｅｍｅｎｔ  ｇｕｉｄｅｌｉｎｅｓ  ｆｏｒ  ＤＶＢ  ｓｙｓｔｅｍｓ」（ＥＴＳＩ）によって規定される１９のパラメータを測定することによる、デジタルテレビジョン信号のトランスポートストリーム（ＴＳ）に関する測定値、および
デジタルテレビジョン信号サービスのオーディオ成分およびビデオ成分に関する測定値。
【０００４】
本発明は、より詳細には、従来技術では、ＥＴＲ２９０標準に準拠する少なくとも１９のパラメータを測定することを伴うデジタルトランスポートストリーム（ＴＳ）に関する測定を対象としている。この多数の技術的に複雑なパラメータは、デジタルテレビジョン網におけるサービス品質の信頼できる推定を迅速に得るためには、解釈するのが非常に困難である。誤りが生じた場合、多くの警報がログ記録され、監視手段によって管理されなければならず、その場合、監視手段は、リアルタイムでそれらの警報を管理する際に問題に直面することになる。
【０００５】
（本発明の目的）
本発明は、必要とされる測定の数を最小限に抑え、その解釈を容易にすることにより、デジタルトランスポートストリーム測定を単純化することを目的とする。この単純化のおかげで、考慮されなければならないパラメータの数およびサービス品質監視の費用を低減させることができる。
【０００６】
（発明の概要）
したがって、所定数の解析パラメータを導出することができる信号を構成するトランスポートストリームパケットの巡回解析を含むデジタルテレビジョン信号の伝送リンクにおいて使用するためのサービス品質監視方法が、以下のステップを特徴とする。
第１の解析パラメータおよび第２の解析パラメータを事前選択するステップと、
事前選択した第１の解析パラメータの変動の最大値、および事前選択した第２の解析パラメータの変動の最大値を周期的に判定して、リンクにおける機器ユニットに関する同期を表す第１のパラメータ、およびサービスの劣化を表す第２のパラメータをそれぞれ導出するステップ。
【０００７】
機器ユニットの同期を表す第１のパラメータは、トランスポートストリーム同期損失パラメータ、プログラム関連テーブル誤りパラメータ、およびプログラムマップテーブル誤りパラメータである３つの解析パラメータに依存する。
【０００８】
第１の実施形態によれば、サービスの劣化を表す第２のパラメータは、連続性カウント誤りパラメータおよびトランスポート誤りパラメータである２つの解析パラメータに依存する。
【０００９】
第２の実施形態によれば、サービスの劣化を表す第２のパラメータは、巡回冗長符号誤りパラメータ、プログラムクロック基準誤りパラメータ、ネットワーク情報テーブル誤りパラメータ、およびサービス記述テーブル誤りパラメータである４つのパラメータに依存する。
【００１０】
第１の実施形態と第２の実施形態を組み合せて、３つのパラメータを判定してデジタルテレビジョン網リンクにおける、すなわち、より一般的に、デジタルテレビジョン信号におけるサービス品質を評価するようにすることができる。
【００１１】
例えば、パケット解析サイクルは、およそ１秒の継続時間を有し、機器ユニットの同期およびサービスの劣化をそれぞれ表す第１のパラメータおよび第２のパラメータが導出される期間は、およそ１０秒である。
【００１２】
本発明のその他の特徴および利点は、対応する添付の図面に関連して提供する、本発明の複数の好ましい実施形態の以下の説明を読むことでより明らかとなる。
【００１３】
図１は、ＭＰＥＧ−２標準に準拠するデジタルテレビジョン網におけるエミッタＥＭと受信機ＲＥの間でデジタルテレビジョン信号を伝送するためのリンクＬＩを図示している。
【００１４】
エミッタＥＭは、基本的に、複数の基本パケット化回路ＣＭＰ、パケタイザ−マルチプレクサＰＭ、および無線周波数変調器ＭＯを含む。パケタイザ回路ＣＭＰは、ＭＰＥＧ−２符号器を構成するそれぞれの異なるソースに接続され、オーディオビジュアルサービスプログラムに関連する成分、すなわち、オーディオ成分、ビデオ成分、およびデータ成分、ならびに以上のプログラムに関連する通知テーブル生成器に関係しており、本発明は、この生成器に、より詳細に関係している。
【００１５】
Ｐｒｏｇｒａｍ  Ｓｐｅｃｉｆｉｃ  Ｉｎｆｏｒｍａｔｉｏｎ  ＰＳＩテーブルによって表現される通知は、パケタイザ−マルチプレクサＰＭから発して、受信機ＲＥが、初期オーディオビジュアルサービスプログラムにアクセスするのに必要なパラメータおよび成分を識別できるようにするトランスポート多重信号ＳＭＥに関係する通知を規定する。通知テーブルには、プログラムの成分を識別するテーブルＰＭＴの識別子ＰＩＤに対してプログラム番号をマッチするＰｒｏｇｒａｍ  Ａｓｓｏｃｉａｔｉｏｎ  Ｔａｂｌｅ（ＰＡＴ）、およびプログラムの成分の可変記述子ＰＩＤとその成分の主な特性をマッチするＰｒｏｇｒａｍ  Ｍａｐ  Ｔａｂｌｅ  ＰＭＴが含まれる。テーブルに関連するパケット化回路ＣＭＰは、テーブルをＭＰＥＧ−２標準において「セクション」と呼ばれる基本パケットＰＥに形成する。
【００１６】
また、オーディオビジュアルサービスプログラムに関連するその他のパケット化回路ＣＭＰは、基本パケットＰＥの形態でオーディオストリーム、ビデオストリーム、およびデータストリームを伝送する。
【００１７】
数キロバイトの様々な長さを有する基本パケットＰＥは、（トランスポートストリーム）ＴＳトランスポートパケットに分割され、パケタイザ−マルチプレクサＰＭの中で多重化されて、変調器ＭＯの入力に適用されるデジタルテレビジョンエミット多重信号ＳＭＥを構成する。ＴＳパケットは、通常、１８８バイトという一定の長さを有する。各ＴＳパケットは、図２に示すとおり、０１ないし０４の４バイトを有するヘッダＥＮ、および１８４バイトのデータフィールドＣＤから構成される。ヘッダの第１のバイト０１は、その１６進コード値が、通常、「４７」に等しい同期バイト（Ｓｙｎｃ  Ｂｙｔｅ）である。エミットされるＴＳパケットの中の第１のバイトは、受信機ＲＥ内のＭＰＥＧ−２復号器をこの受信機が受信するＴＳトランスポートパケットと同期するのに使用される。ヘッダの第２のバイト０２の第１のビットは、当該のパケットの中に誤ったビットが存在するのを示すためのフラグを構成するトランスポート誤りインディケータビットである。ヘッダの第２のバイト０２および第３のバイト０３の最後の５ビットは、以下に定義するとおり、ＭＰＥＧ−２標準またはＤＶＢ標準に準拠する１３ビットテーブル識別子ＰＩＤを含む。ヘッダの第４のバイトの最後の４ビットは、それぞれのオーディオビジュアルサービスプログラムの同一の識別子に対応する各ＴＳパケットごとに１６を法とする１単位だけ増分されるカウンタに関連する４ビット連続性カウントを構成する。
【００１８】
パケタイザ−マルチプレクサＰＭによってこのように生成された多重信号ＳＥＭは、通常、直交振幅変調（ＱＡＭ）または４位相シフトキーイング（ＱＰＳＫ）を使用して変調器ＭＯの中で１つまたは複数の搬送波を変調する。変調器の中で使用されるチャネル符号は、Ｒｅｅｄ  Ｓｏｌｏｍｏｎ符号であり、オプションとして、畳込み符号、例えば、Ｖｉｔｅｒｂｉ符号を伴う。これらの変種が、ケーブルリンク、無線中継局間のリンク、または地上局とサテライトの間の放送リンクであることが可能なデジタルテレビジョン信号伝送リンクＬＩのタイプとマッチされる。
【００１９】
エミッタＥＭに相応する形で、受信機ＲＥは、リンクＬＩに接続され、エミットされた多重信号ＳＭＥと等価の受信デジタルテレビジョン多重信号ＳＭＲを構成するＴＳトランスポートパケットを生成する復調器ＤＭ、および受信ＴＳトランスポートパケットを多重分離して、それぞれのパケット化解除回路ＣＤＰに適用される基本パケットＰＥを再構成するためのデマルチプレクサ−デパケタイザＤＤを含む。回路ＣＤＰは、オーディオ成分、ビデオ成分、およびデータ成分の一部をＭＰＥＧ−２オーディオビジュアルサービスプログラム復号器に送り込み、プログラムに関連する通知に関連する受信基本パケットＰＥ（セクション）の一部を受信機内の通知テーブルを再構成する通知テーブル回復回路に適用する。
【００２０】
エミッタＥＭと受信機ＲＥの間のリンクＬＩは、図１に示すとおり、解析器／測定器ＡＭによって監視される。解析器／測定器ＡＭは、一方で、ＭＰＥＧ−２標準に従ってトランスポートストリームの中の構文を解析するため、より正確には、前述したＥＴＲ２９０標準で定義される１９の解析パラメータを測定するための従来技術の解析器、ならびに本発明によるリンク品質監視方法を実施するための測定器を含む。解析器は、通常、ドイツ国の会社、ＲＨＯＤＥ＆ＳＣＨＷＡＲＴＺによって市販されるＤＶＭＤストリーム解析器（ＭＰＥＧ２測定復号器）である。
【００２１】
測定器は、解析器によって供給される１９の解析パラメータのうち９のパラメータを使用する。９のパラメータは、ＥＴＲ２９０標準に準拠する１９のパラメータのなかから選択され、数百のデジタルテレビジョン信号シーケンスに対してＥＴＲ２９０標準の１９のパラメータの数十の組み合わせを試験した後、本発明により、それら９のパラメータを組み合せてデジタルテレビジョン信号リンクの品質基準を表す３つのパラメータＳＳ、ＤＳ、およびＦＤにすることができるようになっている。
【００２２】
実際には、解析器／測定器は、図１のＡＭ１で示すとおり、送信機ＥＭの中のパケタイザ−マルチプレクサＰＭと変調器ＭＯの間のエミットされた多重信号ＳＭＥにおける、または図１のＡＭ３で示すとおり、受信機ＲＥの中の復調器ＤＭとデマルチプレクサ−デパケタイザＤＤの間の受信多重信号ＳＭＲにおけるパケットトランスポートストリーム（ＴＳ）を解析するか、あるいは図１のＡＭ２で示すとおり、変調器ＭＯと復調器ＤＭの間のリンクＬＩのレベルにおけるトランスポートストリームを分析し、その場合、復調器（図示せず）は、解析器の入力に設けられる。
【００２３】
本発明によるサービス品質監視方法によって使用されるＥＴＲ２９０標準に準拠する９の解析パラメータを以下に定義する。各解析パラメータは、解析器がパラメータに関連する誤りをＴＳパケットストリームの中で検出するたびに毎回、１単位だけ増分される誤りカウントを構成する。解析器は、各解析サイクルにおいて、あるパラメータに関連する最大で１つの誤りを検出することができ、このサイクルは、通常、およそ１秒の継続時間を有する。このことは、時刻ｔにおけるパラメータの値が、ストリーム解析開始時刻から開始して、そのパラメータに関連する誤りが知らされた解析サイクルの回数に等しいことを意味する。例えば、ある所与のパラメータに関して、解析が、ｔ＝１０時に開始し、解析器の中のパラメータカウンタが、ゼロに設定される。誤りが、１０時０１分における０．５秒の期間中、および１０時０２分から１０秒の連続期間中に生じる。
解析器は、以下のことを知らせる。
１０時から１０時０１分まで：誤りは、まったく検出されず、パラメータは、ゼロに等しい。
１０時０１分００秒から１０時０１分０１秒まで：１秒の期間中に誤りが検出され、パラメータが、１単位だけ増分される。
１０時０２分００秒から１０時０２分１０秒まで：誤りが、連続して検出され、パラメータが、１秒ごとに１単位だけ増分される。
【００２４】
１）第１のパラメータ、Ｔｒａｎｓｐｏｒｔ  Ｓｔｒｅａｍ  Ｓｙｎｃｈｒｏｎｉｚａｔｉｏｎ  Ｌｏｓｓ（ＴＳＳＬ）は、トランスポートストリームにおける、すなわち、ＴＳパケット、特に多重信号ＳＭＥまたはＳＭＲのＴＳパケットにおける同期の損失に関連する。既に述べたとおり、ＴＳパケット（図２）の中の第１のバイト０１は、通常、１６進値「４７」を有する。同期は、デマルチプレクサ−デパケタイザＤＤが、連続する５つのＴＳパケットの中で５つの通常の第１のバイトを検出したとき、受信機ＲＥの中で確立される。同期は、受信機が、連続する３つのＴＳパケットの中で全く通常の第１のバイトを検出しないか、または１つだけの通常の第１のバイトを検出した場合、損失した、または獲得されなかったと見なされる。この条件は、同期の損失に当たると見なされる。
【００２５】
解析器は、各同期損失、すなわち、連続する３つのＴＳパケットの第１のバイトが、せいぜい、１６進法の「４７」に等しい１つの正しいパケットしか含まないとき、それに対応するパラメータＴＳＳＬを生成する。
【００２６】
２）Ｐｒｏｇｒａｍ  Ａｓｓｏｃｉａｔｉｏｎ  Ｔａｂｌｅ（ＰＡＴ）は、プログラムに関連し、多重信号ＳＭＥ、ＳＭＲのＴＳパケットのトランスポートストリームに含まれるＰｒｏｇｒａｍ  Ｍａｐ  Ｔａｂｌｅｓ  ＰＭＴのＰＩＤ識別子と対応する関係にあるすべてのオーディオビジュアルサービスプログラムのリストを含む。ＰＭＴは、プログラムの詳細な説明、すなわち、各プログラムの成分の記述子を含む。したがって、ＰＡＴは、オーディオ−ビデオプログラムを復号化するために必要不可欠である。ＰＡＴテーブルが無効である、または誤りを含む場合、受信機ＲＥの中の復号器ＤＥＣは、多重信号ＳＭＲによってサポートされる伝送されたプログラムを選択して復号化することができない。
【００２７】
ＰＡＴテーブルは、１６進法で「００」に等しいＰＩＤ識別子を有するパケットで伝送される。ＰＡＴテーブルは、パケット化回路ＣＭＰの中でそれぞれ最大２５６バイトのセクションタイプの複数の基本パケットＰＥに分割される。各セクションはテーブル識別子バイト「００」で開始する。
【００２８】
ＰＡＴテーブル誤りを知らせる第２のパラメータＰＡＴＥは、以下の３つのイベントのどれかに応答して解析器によって生成される。
ＰＡＴテーブル識別子が、「００」とは異なるか、または
ＰＡＴテーブルが、暗号化された（スクランブルされた）形式で伝送されるか、または
同一のプログラムに関連する連続する２つのＰＡＴテーブル間の時間間隔が、通常、０．５秒に等しい時間しきい値ＳＴを超える。
【００２９】
３）プログラムマップテーブル（ＰＭＴ）が、ＰＡＴテーブルの中で識別されたそれぞれのオーディオビジュアルサービスプログラムを詳細に記述する。ＰＭＴテーブルに含まれる重要な情報は、各プログラムのオーディオ成分、ビデオ成分、およびデータ成分に関連するすべてのＴＳパケットの中の記述子ＰＩＤのリスト、ならびにリンクＬＩのクロックを使用せずに各復号器ＤＥＣの中で各符号器ＣＯＤのクロックを回復するための各プログラムに関連するＰｒｏｇｒａｍ  Ｃｌｏｃｋ  Ｒｅｆｅｒｅｎｃｅ（ＰＣＲ）値を伝送するのに使用されるＴＳパケットのＰＩＤ識別子である。
【００３０】
ＰＭＴテーブルが無効である、または誤りを含む場合、各復号器ＤＥＣは、多重信号ＳＭＲの中の各オーディオビジュアルサービスプログラムを選択して復号化することができない。ＰＭＴテーブルの中のプログラム成分の記述子ＰＩＤは、１６進法で「００１０」から「１ＦＦＥ」までの範囲にある。ＰＭＴテーブルは、最大で２５６セクションを有するセクションタイプのいくつかの基本部分に分割することができ、各セクションは、オーディオビジュアルサービスプログラムに対応する。各セクションの、したがって、各プログラムのＰＭＴテーブルの識別子は、通常、「０２」に等しい。
【００３１】
第３のパラメータＰＭＴＥは、以下のイベントのどれかに応答して解析器によって供給される。
ＰＭＴテーブルの識別子が、「０２」とは異なるか、または
ＰＭＴテーブルが、暗号化（スクランブルされた）形式で伝送されるか、または
連続して伝送される２つのＰＭＴテーブル間の時間間隔が、通常、０．５秒に等しい時間しきい値ＳＴを超える。
【００３２】
ＴＳパケットのヘッダＥＮの第４のバイト０４に含まれる４ビット連続性カウントは、同一の識別子ＰＩＤを有する各ＴＳパケットごとに１単位だけ増分されるパケタイザ−マルチプレクサＰＭ内のカウンタからのカウントである。このカウンタのカウントは、１６を法とする０から１５までの範囲にある。連続性カウントは、プログラムの欠落しているパケット、または重複して受信されたパケットにマークを付けるのに使用される。
【００３３】
ＭＰＥＧ−２標準は、関与するパケットのオプションの適応フィールド（ＡＦ）の中で示される場合、カウントの不連続性を許容する。この方法は、ＴＳパケットのトランスポートストリームの再多重化のためプログラムの変化が生じた場合における誤りメッセージをなくすために使用される。
【００３４】
連続性カウントの誤りを知らせる第４のパラメータＣＣＥは、以下の３つのイベントのどれかに応答して解析器によって生成される。
同一のＴＳパケットが、ＡＦフィールドの中で示されることなしに、解析器の中で少なくとも２回、受信されたか、または
ＴＳパケットが欠落しているか、または
ＴＳパケットが、エミットされた正しい順序で着信していない。
【００３５】
５）各ＴＳパケットのヘッダＥＮの第２のバイト０２に含まれるトランスポート誤りインディケータビットからなるフラグが、当該の誤り訂正符号がすべての誤りを訂正することができないのを知らせるため、復調器ＤＭにおける復調中にＶｉｔｅｒｂｉ復号化またはＲｅｅｄ  Ｓｏｌｏｍｏｎ復号化によって立てられる。当該の復号器ＤＥＣは、このフラグによって示されたパケットを解釈してはならない。この場合、ストリーム解析器は、論理「１」のビットＴＥの形でトランスポート誤りパラメータと呼ばれる第５のパラメータを生成し、フラグによって示されたパケットを処理しない。
【００３６】
６）ＭＰＥＧ−２標準が、前述したＰＡＴテーブルおよびＰＭＴテーブル、ならびにＣｏｎｄｉｔｉｏｎａｌ  Ａｃｃｅｓｓ  Ｔａｂｌｅ（ＣＡＴ）である３つの通知テーブルを提供し、またＥｕｒｏｐｅａｎ  Ｄｉｇｉｔａｌ  Ｖｉｄｅｏ  Ｂｒｏａｄｃａｓｔｉｎｇ（ＤＶＢ）標準が、サービスチャネルテーブルを提供して、以上のテーブルのすべてが、周期的に伝送される。詳細には、サービステーブルには、Ｎｅｔｗｏｒｋ  Ｉｎｆｏｒｍａｔｉｏｎ  Ｔａｂｌｅ（ＮＩＴ）、Ｅｖｅｎｔ  Ｉｎｆｏｒｍａｔｉｏｎ  Ｔａｂｌｅ（ＥＩＴ）、Ｓｅｒｖｉｃｅ  Ｄｅｓｃｒｉｐｔｉｏｎ  Ｔａｂｌｅ（ＳＤＴ）、Ｂｏｕｑｕｅｔ  Ａｓｓｏｃｉａｔｉｏｎ  Ｔａｂｌｅ（ＢＡＴ）、およびＴｉｍｅ  Ｏｆｆｓｅｔ  Ｔａｂｌｅ（ＴＯＴ）が含まれる。以上のテーブルのすべてが、セクションタイプの基本パケットの形態で伝送される。各テーブルセクションの終りには、エミッション時にエミッタＥＭの中で、また受信時に受信機ＲＥの中で計算されるチェックサム（ＣＳ）を含み、計算は、セクションの情報フィールドの関数として各セクションの中に従来どおり導入され、受信機が受信したセクションの情報フィールドを検査するのを可能にするＣｙｃｌｉｃ  Ｒｅｄｕｎｄａｎｃｙ  Ｃｈｅｃｋ（ＣＲＣ）に従って行われる。受信時に計算されるチェックサムと結合すると、各テーブルセクションの中で受信されるＣＳチェックサムは、通常、０に等しい。
【００３７】
結果のチェックサムが０に等しくない場合、受信機内の当該のＭＰＥＧ−２復号器ＤＥＣは、関与するテーブルに含まれる情報を無視する。この種類の誤りが、ストリーム解析器によって検出された場合、解析器は、テーブルの中のどの情報が誤っているか判別できない。この場合、ストリーム解析器は、０に等しくない前述したテーブルＰＡＴ、ＰＭＴ、ＣＡＴ、ＮＩＴ、ＥＩＴ、ＳＤＴ、ＢＡＴ、およびＴＯＴのどれかからもたらされたＣＳチェックサムに応答して巡回冗長性検査誤りパラメータＣＲＣＥを生成することにより、誤りを知らせる。
【００３８】
７）既に述べたとおり、ＰＣＲプログラムクロック基準が、所与のオーディオビジュアルサービスプログラムに特有のクロックを定義する。このクロック基準は、受信機ＲＥの中の各復号器ＤＥＣの内部クロックをエミッタＥＭの中の各符号器ＣＯＤの内部クロックにリンクするのに使用される。各ＰＭＴプログラムマップテーブルが、各プログラムに関するＰＣＲクロック基準を含むパケットのＰＩＤ記述子を示す。
【００３９】
ＭＰＥＧ−２標準は、不連続性が関与するパケットのオプションのＡＦ適応フィールドの中で示されているという条件で、ＰＣＲクロック基準の値における不連続性を許容し、これにより、トランスポートストリームの再多重化のためオーディオビジュアルサービスプログラムの変化が生じた場合のＰＣＲ検査基準に関連する誤りメッセージが無くなる。
【００４０】
プログラムクロック基準誤りパラメータに関連する第７のパラメータＰＣＲＥが、以下の２つのイベントのどちらかに応答してストリーム解析器によって供給される。
所与のプログラムのＰＣＲを含む連続する２つのパケット間の時間間隔が、オプションのＡＦ適応フィールドの中で知らされることなしに、通常、１００ミリ秒に等しい第２の時間しきい値ＳＴ２を超えるか、または
所与のプログラムのＰＣＲクロック基準を含む２つのパケットを受信する間の時間間隔が、通常、４０ミリ秒に等しい第３のしきい値ＳＴ３を超える。
【００４１】
８〜９）ＮＩＴネットワーク情報テーブルおよびＳＤＴサービス記述テーブルのそれぞれが、追加のデータとしてＴＳトランスポートパケットストリームの中に挿入され、現在の日付に関連する情報、およびネットワークにおけるテレビ番組および／またはその他のネットワークにおけるプログラム等の記述を含む。これらのテーブルのそれぞれが、セクションタイプの基本パケットＴＥの形態で伝送され、ストリームの中に周期的に存在する。
【００４２】
通知テーブルおよびサービスチャネルテーブルがすべて、異なる識別子ＰＩＤを有するわけではない。例えば、汎用ＴＤＴ  Ｔｉｍｅ  ａｎｄ  Ｄａｔｅ  ＴａｂｌｅおよびＴＯＴテーブルのパケットは、同一のＰＩＤ識別子を有する。これらのテーブルは、そのテーブル識別子で区別され、テーブル識別子は、ＭＰＥＧ−２復号器が、デジタルビデオ放送（ＤＶＢ）標準に準拠して動作するのを可能にする。
【００４３】
ＮＩＴテーブルの識別子は、１６進法で「４０」または「４１」に等しい場合、正しく、またＳＤＴテーブルの識別子は、１６進法で「４２」または「４６」に等しい場合、正しい。
【００４４】
第８のテーブル誤りパラメータＮＩＴＥおよび第９のテーブル誤りパラメータＳＤＴＥが、それぞれ、ＮＩＴテーブルに関連する誤りおよびＳＤＴテーブルに関連する誤りに応答して、すなわち、ＮＩＴテーブルおよびＳＤＴテーブルのそれぞれに関連する以下のイベントに応答して、ストリーム解析器によって生成される。
通知識別子およびサービスチャネル識別子に準拠するＰＩＤ識別子を有するパケットが検出されるが、ＮＩＴテーブルに関して「４０」または「４１」に等しくない、またはＳＤＴテーブルに関して「４２」または「４６」に等しくない誤った識別子を有している、または
正しい識別子「４０」または「４１」を有するＮＩＴテーブルの２つのセクション（基本パケット）間の時間間隔が、ＮＩＴテーブルに関して、通常、１０秒であるしきい値を超えるか、または正しい識別子「４２」または「４６」を有するＳＤＴテーブルの２つのセクション間の時間間隔が、ＳＤＴテーブルに関して、通常、２秒であるしきい値を超える。
【００４５】
本発明によれば、ストリーム解析器に関連する測定器が、前述したＥＴＲ２９０標準の９つの解析パラメータに依存する３つのパラメータ、Ｓｙｎｃｒｏｎｉｚａｔｉｏｎ  ｏｆ  Ｓｅｒｖｉｃｅｓ（サービス同期）パラメータＳＳ、Ｄｅｇｒａｄａｔｉｏｎ  ｏｆ  Ｓｅｒｖｉｃｅｓ（サービス劣化）パラメータＤＳ、および強度Ｄｅｇｒａｄａｔｉｏｎｓ（劣化）パラメータＦＤにより、デジタルテレビジョン信号伝送リンクＬＩにおけるサービス品質を監視する。
【００４６】
サービス同期パラメータＳＳは、所定期間Δｔ中におけるトランスポートストリーム同期損失パラメータＴＳＳＬ、プログラム関連テーブル誤りパラメータＰＡＴＥ、およびプログラムマップテーブル誤りパラメータＰＭＴＥの変動の最大値として定義される。例えば、前述した３つの解析パラメータＴＳＳＬ、ＰＡＴＥ、およびＰＭＴＥのそれぞれが、ストリーム解析器により、およその継続時間ｄｔ＝１秒のＴＳパケットの各解析サイクルで供給され、測定器が、およそΔｔ＝１０秒ごとに以上３つの分析パラメータの変動の最大値をパラメータＳＳとして生成する。パラメータＳＳは、リンクＬＩにおける測定器／解析器の上流の装置ユニットが、エミットされた多重信号ＳＭＥの中でトランスポートストリームと初期に同期することができるかどうかを示す。パラメータＳＳが０に等しくない場合、このことは、装置ユニットが、同期することができず、オーディオビジュアルプログラムサービスが、リンクの中に存在しないことを示している。
【００４７】
サービス劣化パラメータＤＳは、期間Δｔ中における連続性カウント誤りパラメータＣＣＥおよびトランスポート誤りパラメータＴＥの変動の最大値として定義される。パラメータＤＳは、サービス劣化のレベルの正確な評価を可能にする。サービス劣化が存在しない場合、パラメータＤＳは、空値を有する。サービス品質の劣化のレベルは、パラメータＤＳの値に正比例する。
【００４８】
例えば、図３は、本発明による、サービス劣化パラメータ（ＤＳ）に等しい最大値を導出するため、時間間隔Δｔ中に解析器によって供給される解析パラメータＣＣＥおよびＴＥの変動ΔＣＣＥおよびΔＴＥを示す２つのグラフである。例えば、時刻ｔでＣＣＥ（ｔ）＝１０かつＴＥ（ｔ）＝２である場合、および期間ｔ＋Δｔの終りでＣＣＥ（ｔ＋Δｔ）＝１４かつＴＥ（ｔ＋Δｔ）＝１１である場合、測定値は、以下のとおり計算される。
ΔＣＣＥ＝ＣＣＥ（ｔ＋Δｔ）−ＣＣＥ（ｔ）＝４
ΔＴＥ＝ＴＥ（ｔ＋Δｔ）−ＴＥ（ｔ）＝９
すなわち、ＤＳ＝ｍａｘ［ΔＣＣＥ，ΔＴＥ］＝９
【００４９】
強度劣化パラメータＦＤは、期間Δｔ中における巡回冗長性検査誤りパラメータＣＲＣＥ、プログラムクロック基準誤りパラメータＰＣＲＥ、ネットワーク情報テーブル誤りパラメータＮＩＴＥ、およびサービス記述テーブル誤りパラメータＳＤＴＥの変動の最大値として定義される。パラメータＦＤは、非常に深刻な劣化の存在を示し、パラメータＤＳを非常によく補完するものである。パラメータＦＤの空値は、リンクにおいて強度の劣化が存在しないことを示す。パラメータＦＤの空でない値は、リンクにおいて強度の劣化が存在するレベルを示す。
【００５０】
図４に示すとおり、リンクＬＩにおけるサービス品質監視方法は、基本的にステップＥ０ないしＥ６を含む。
【００５１】
初期ステップＥ０で、時刻変数ｔが、パラメータの解析および測定のために初期時刻で固定され、本発明による３つのパラメータに対応する変数ＳＳ、ＤＳ、およびＦＤが、ゼロに設定される。
【００５２】
ステップＥ１中の通常、およそ１秒の継続時間の各基本パケット解析サイクルｄｔにおいて、解析器は、例えば、多重信号ＳＭＥの中で、トランスポートストリーム（ＴＳ）パケットが位置ＡＭ１（図１）にあるとき、またはリンクＬＩの中で、パケットが位置ＡＭ２にあるとき、または受信多重信号ＳＭＲの中で、パケットが位置ＡＭ３にあるとき、このトランスポートストリーム（ＴＳ）パケットを解析する。各解析サイクルｄｔにおいて、解析器は、９つの解析パラメータＴＳＳＬ、ＰＡＴＥ、ＰＭＴＥ、ＣＣＥ、ＴＥ、ＣＲＣＥ、ＰＣＲＥ、ＮＩＴＥ、およびＳＤＴＥを供給する。
【００５３】
次に、ステップＥ１の後、方法は、同様のステップＥ２１〜Ｅ３１、Ｅ２２〜Ｅ３２、およびＥ２３〜Ｅ３３を含む３つの並列ブランチを含み、測定器が本発明による３つのパラメータＳＳ、ＤＳ、およびＦＤがそれぞれ依存する解析パラメータの変動の最大値を同時に計算できるようにしている。また、より正確には、本発明の３つのパラメータのそれぞれに関して、時刻ｔと先行する時刻ｔ−Δｔの間における解析パラメータの変動の最大値を計算できるようにしている。したがって、第１の分岐Ｅ２１〜Ｅ３１で、それぞれのパラメータＴＳＳＬ、ＰＡＴＥ、およびＰＭＴＥの変動ΔＴＳＳＬ、ΔＰＡＴＥ、およびΔＰＭＴＥが計算され、以上３つの変動の最大値が、本発明による第１のパラメータ、すなわち、サービス同期パラメータＳＳを決定する。第２の分岐Ｅ２２〜Ｅ３２で、それぞれのパラメータＣＣＥおよびＴＥの変動ΔＣＣＥおよびΔＴＥが計算され、以上２つの変動の最大値が、本発明による第２のパラメータ、すなわち、サービス劣化パラメータＤＳを決定する。第３の分岐Ｅ２３〜Ｅ３３で、最後の４つのパラメータＣＲＣＥ、ＰＣＲＥ、ＮＩＴＥ、およびＳＤＴＥの変動ΔＣＲＣＥ、ΔＰＣＲＥ、ΔＮＩＴＥ、およびΔＳＤＴＥが計算され、以上４つの変動の最大値が、本発明による第３のパラメータ（ＦＤ）を決定する。
【００５４】
以上の並列する３組のステップ後、期間Δｔの終りに、本発明の３つの測定されたパラメータＳＳ、ＤＳ、およびＦＤが生成されて、ステップＥ４で、例えば、伝送され、かつ／または表示され、かつ／または印刷される。
【００５５】
次に、解析がステップＥ５で継続される場合、ステップＥ６でΔｔだけ変数ｔを増分することによって測定期間Δｔが反復される。
【００５６】
図５は、例として、本発明の３つのパラメータＳＳ、ＤＳ、およびＦＤの変動を時間の関数として示している。以下のことに留意されたい。
サービス同期パラメータＳＳが繰り返される場合、サービスを確立することができず、サービス品質を評価するのが不可能である。
サービス劣化パラメータＤＳは、サービス品質のレベルと反対の方向に変化し、一方が増加するとき、他方は減少する。
強度劣化パラメータＦＤの変動のピークは、非常に低いレベルのサービス品質を知らせる。
【図面の簡単な説明】
【図１】  デジタルテレビジョン網におけるリンクの２つの終端間の構成を示す図である。
【図２】  ＭＰＥＧ−２標準に準拠するトランスポートストリームパケットの構造を示す図である。
【図３】  本発明による３つのパラメータのうち１つを導出するため、所定期間中、解析器によって供給されるパラメータの変動を示す２つのグラフである。
【図４】  本発明によるサービス品質監視方法のアルゴリズムを示す図である。
【図５】  本発明によるサービス品質測定システムによって供給されるパラメータの変動を示す３つのグラフである。
【図１】
0004337299.tif 000002
【図２】
0004337299.tif 000003
【図３】
0004337299.tif 000004
【図４】
0004337299.tif 000005
【図５】
0004337299.tif 000006